(57)【要約】【課題】複数のユーザ間で歌唱を楽しむコラボサービスにおいて、メッセージによる交流を可能とする。【解決手段】本発明に係るカラオケ装置は、指定された楽曲に対応する演奏情報を演奏させるとともに、録音情報と録画情報を再生し、カメラから入力される入力映像と、マイクロホンから入力される歌唱音声を記録し、入力映像と、録画情報と、投稿メッセージ情報と、入力部から入力される入力メッセージ情報と、を表示手段に表示させる録画演奏処理と、録画演奏処理中に記録された入力映像と、歌唱音声と、録画演奏処理中に入力された入力メッセージ情報をホスト装置に送信する投稿処理を実行することを特徴とする。【選択図】図１２
2015161848.tif 000002
【特許請求の範囲】
【請求項１】
演奏手段と、制御手段と、を備えるカラオケ装置であって、
演奏手段は、演奏情報を演奏可能とし、
制御手段は、受信処理と、録画演奏処理と、投稿処理と、を実行可能とし、
受信処理は、投稿情報を受信し、
投稿情報は、録音情報と、録画情報と、投稿メッセージ情報を含み、
録画演奏処理は、指定された楽曲に対応する演奏情報を演奏させるとともに、録音情報と録画情報を再生し、カメラから入力される入力映像と、マイクロホンから入力される歌唱音声を記録し、入力映像と、録画情報と、投稿メッセージ情報と、入力部から入力される入力メッセージ情報と、を表示手段に表示させ、
投稿処理は、録画演奏処理中に記録された入力映像と、歌唱音声と、録画演奏処理中に入力された入力メッセージ情報をホスト装置に送信する
カラオケ装置。
【請求項２】
録画演奏処理は、入力映像と入力メッセージ情報の対応関係、及び、録画情報と投稿メッセージ情報の対応関係が認識できるように表示する
請求項１に記載のカラオケ装置。
【請求項３】
録画演奏処理は、入力メッセージ情報と投稿メッセージ情報を、表示手段の表示画面内に設けられた同じ領域内に表示する
請求項１または請求項２に記載のカラオケ装置。
【請求項４】
入力メッセージ情報の入力は、録画演奏処理中、ユーザに対して提示された定型メッセージを選択することにより行われる
請求項１から請求項３の何れか１項に記載のカラオケ装置。
【請求項５】
ユーザに対して提示される定型メッセージは、演奏中の楽曲もしくは歌唱状況に関連する情報を含む
請求項４に記載のカラオケ装置。
【請求項６】
制御手段は、ログイン処理と、メッセージ投稿処理とを実行可能とし、
ログイン処理は、ユーザをログインさせ、
メッセージ投稿処理は、録画演奏処理中に入力された入力メッセージ情報を、楽曲を指定したユーザのソーシャルネットワークサービスのアカウントに投稿送信する
請求項１から請求項５の何れか１項に記載のカラオケ装置。
【請求項７】
録画演奏処理は、メッセージ投稿処理にて投稿送信された入力メッセージ情報に対して投稿された応答メッセージ情報を表示手段に表示させる
請求項６に記載のカラオケ装置。
【発明の詳細な説明】
【技術分野】
【０００１】
本発明は、楽曲の演奏に合わせて歌唱を楽しむことのできるカラオケ装置に関し、特に、複数のユーザ間で一緒に歌唱を楽しむとともに、一緒に歌唱を楽しむユーザ間でメッセージのやり取りを行うことのできるカラオケ装置に関する。
【背景技術】
【０００２】
従来、スナックやカラオケボックスなどにおいて歌唱を楽しむカラオケは、一緒に同席する仲間等と社交の場を形成するものとして知られている。現在、携帯電話など各種情報端末が常時、通信接続された状態にある中、ソーシャルネットワークサービス（ＳＮＳ）なるサービスが人気を集めている。このソーシャルネットワークサービスでは、登録したユーザが発信した情報（メッセージ）を略リアルタイムで配信することが可能であり、現在、何をしている等といったメッセージを伝えることが可能である。
【０００３】
カラオケ装置においてもこのようなソーシャルネットワークサービスの利用が検討されている。特許文献１には、対象となる利用者が所在する地点から所定範囲内においてカラオケ装置を利用している他の利用者をフレンド登録可能な通信カラオケシステムが開示されている。また、特許文献２には、カラオケ演奏に際して撮影された写真を用いてウェブページを自動作成する通信カラオケシステムが開示されている。
【先行技術文献】
【特許文献】
【０００４】
【特許文献１】特開２０１２−１８５３８２号公報
【特許文献２】特開２０１１−１７５１７０号公報
【特許文献３】特開２０１３−１５６５４３号公報
【発明の概要】
【発明が解決しようとする課題】
【０００５】
現在、カラオケ装置では、通称、コラボと呼ばれるサービスが人気を集めている。コラボとは、通信回線を利用して複数のユーザが一緒に歌唱を楽しむことのできるサービスである。あるユーザの歌唱時の音声を録音すると共に、歌唱時の様子を録画してホスト装置に投稿し、他のユーザが投稿された音声、映像と一緒に歌唱を行うことで、複数のユーザ間での歌唱を楽しむことが可能である。複数回繰り返すことで、多人数による歌唱の音声、映像を形成することが可能である。
【０００６】
特許文献３には、このようなコラボサービスを使用した投稿再生装置が開示されている。従来、このようなコラボサービスでは、一緒に歌唱を行う他のユーザとのコミュニケーションは、他のユーザのプロフィール等を確認する。あるいは、音声、映像の投稿に添付されたメッセージを、投稿を選択する際に確認する、ことで行われていた。したがって、歌唱中におけるユーザ間のコミュニケーションは取ることができず、自己の歌唱状況等を他のユーザにメッセージなどを伝えることはできなかった。
【０００７】
本発明は、このようなカラオケにおけるコラボサービス利用時において、コラボサービスに参加しているユーザ間でメッセージのやり取りを可能とし、コミュニケーションの促進を図ることを目的としている。
【課題を解決するための手段】
【０００８】
そのため、本発明に係るカラオケ装置は以下の構成を採用するものである。
演奏手段と、制御手段と、を備えるカラオケ装置であって、
演奏手段は、演奏情報を演奏可能とし、
制御手段は、受信処理と、録画演奏処理と、投稿処理と、を実行可能とし、
受信処理は、投稿情報を受信し、
投稿情報は、録音情報と、録画情報と、投稿メッセージ情報を含み、
録画演奏処理は、指定された楽曲に対応する演奏情報を演奏させるとともに、録音情報と録画情報を再生し、カメラから入力される入力映像と、マイクロホンから入力される歌唱音声を記録し、入力映像と、録画情報と、投稿メッセージ情報と、入力部から入力される入力メッセージ情報と、を表示手段に表示させ、
投稿処理は、録画演奏処理中に記録された入力映像と、歌唱音声と、録画演奏処理中に入力された入力メッセージ情報をホスト装置に送信する。
【０００９】
さらに本発明に係るカラオケ装置において、
録画演奏処理は、入力映像と入力メッセージ情報の対応関係、及び、録画情報と投稿メッセージ情報の対応関係が認識できるように表示する。
【００１０】
そのため本発明に係るカラオケ装置において、
録画演奏処理は、入力メッセージ情報と投稿メッセージ情報を、表示手段の表示画面内に設けられた同じ領域内に表示する。
【００１１】
そのため本発明に係るカラオケ装置において、
入力メッセージ情報の入力は、録画演奏処理中、ユーザに対して提示された定型メッセージを選択することにより行われる。
【００１２】
そのため本発明に係るカラオケ装置において、
ユーザに対して提示される定型メッセージは、演奏中の楽曲もしくは歌唱状況に関連する情報を含む。
【００１３】
そのため本発明に係るカラオケ装置において、
制御手段は、ログイン処理と、メッセージ投稿処理とを実行可能とし、
ログイン処理は、ユーザをログインさせ、
メッセージ投稿処理は、録画演奏処理中に入力された入力メッセージ情報を、楽曲を指定したユーザのソーシャルネットワークサービスのアカウントに投稿送信する。
【００１４】
そのため本発明に係るカラオケ装置において、
録画演奏処理は、メッセージ投稿処理にて投稿送信された入力メッセージ情報に対して投稿された応答メッセージ情報を表示手段に表示させる。
【発明の効果】
【００１５】
本発明に係るカラオケ装置によれば、コラボサービスを実行可能なカラオケ装置において、一緒に歌唱を行うユーザ間において録画演奏処理の実行中にメッセージを交わすことが可能となる。よって、コラボサービスに参加したユーザ間のコミュニケーションの改善を図ることが可能となる。
【００１６】
さらに本発明に係るカラオケ装置では、表示手段上、入力映像と入力メッセージ情報の対応関係、及び、録画情報と投稿メッセージ情報の対応関係が認識できるように表示することとしている。このような構成によれば、どのユーザがどのメッセージを発信しているかを把握することが可能となる。対応関係を認識させる手法としては、映像とメッセージ情報を対応した領域内に表示すること、映像の枠の色とメッセージ情報の色を対応させること、あるいは、映像、メッセージ情報に対応する符号（ユーザ名でもよい）を付して表示すること等が考えられる。
【００１７】
さらに本発明に係るカラオケ装置では、入力メッセージ情報と投稿メッセージ情報を、表示手段の表示画面内に設けられた同じ領域内に表示することとしてる。このような構成によれば、投稿メッセージ情報と入力メッセージ情報を同時に視認することが可能となり、ユーザ間でのメッセージのやり取りや、メッセージの掛け合いを良好に把握することが可能となる。
【００１８】
さらに本発明に係るカラオケ装置では、ユーザに定型メッセージを提示し、ユーザにより選択された定型メッセージを入力メッセージとして入力することとしている。このような構成によれば、歌唱中のユーザは、キーボード等を利用してメッセージを入力する等の手間が無く、容易に入力メッセージ情報を入力することが可能となる。また、定型メッセージから選択することで、投稿される入力メッセージ情報が、公序良俗に反することを防止することも可能となる。なお、定型メッセージに加え、ユーザがキーボード等を使用して自由な文章を入力した自由メッセージを入力可能としてもよい。この場合においても、カラオケ業者側にて行うメッセージの検閲は、自由メッセージを対象とするのみでよく、カラオケ業者側の作業軽減が図られ、迅速に入力メッセージ情報を公開の対象とすることが可能となる。
【００１９】
さらに本発明に係るカラオケ装置では、ユーザに対して提示される定型メッセージは、演奏中の楽曲もしくは歌唱状況に関連する情報を含むこととしている。このような構成よれば、歌唱している楽曲の楽曲名、歌手名などを投稿送信し、現在歌唱している楽曲に関連する情報を他のユーザに伝えることが可能となる。
【００２０】
さらに本発明に係るカラオケ装置では、録画演奏処理中に入力された入力メッセージ情報を、楽曲を指定したユーザのソーシャルネットワークサービスのアカウントに投稿送信することとしている。このような構成によれば、コラボサービスに参加しているユーザのみならず、ソーシャルネットワークサービスに参加しているユーザに対してメッセージを発信することが可能となる。
【００２１】
さらに本発明に係るカラオケ装置では、メッセージ投稿処理にて投稿送信された入力メッセージ情報に対して投稿された応答メッセージ情報を表示手段に表示させることとしている。このような構成によれば、ソーシャルネットワークサービスに対するメッセージ発信のみならず、ソーシャルネットワーク上での反応を応答メッセージ情報として確認することが可能となる。よって、ソーシャルネットワークサービスに参加しているユーザと双方向のコミュニケーションが可能となる。なお、受信した応答メッセージ情報は、投稿処理にてホスト装置に送信される投稿情報に含めることとしてもよい。
【図面の簡単な説明】
【００２２】
【図１】本発明の実施形態に係るカラオケ投稿の概要を説明する図
【図２】本発明の実施形態に係るカラオケシステムの構成を示す図
【図３】本発明の実施形態に係るトップ画面を示す図
【図４】本発明の実施形態に係るユーザ情報を示す図
【図５】本発明の実施形態に係るユーザに対するサービス処理を示す図
【図６】本発明の実施形態に係る利用ユーザトップ画面を示す図
【図７】本発明の実施形態に係る楽曲確認画面を示す図
【図８】本発明の実施形態に係るカラオケ装置のメイン処理を示すフロー図
【図９】本発明の実施形態に係るカラオケ装置の投稿再生処理を示すフロー図
【図１０】本発明の実施形態に係る複合投稿情報のデータ構成を示す図
【図１１】本発明の実施形態に係る定型メッセージ情報のデータ構成を示す図
【図１２】本発明の実施形態に係る投稿再生処理時におけるカラオケ装置、モニタの様子を示す図
【図１３】本発明の実施形態に係るプレビュー処理時におけるモニタの様子を示す図
【図１４】本発明の実施形態に係る複合投稿情報のデータ構成を示す図
【図１５】本発明の実施形態に係る投稿処理を示すフロー図
【図１６】本発明の実施形態に係る複合投稿情報のデータ構成を示す図
【図１７】本発明の他の実施形態に係るプレビュー処理時におけるモニタの様子を示す図
【図１８】本発明の他の実施形態に係るプレビュー処理時におけるモニタの様子を示す図
【図１９】本発明の他の実施形態におけるＳＮＳへの投稿送信を説明するための図
【図２０】本発明の実施形態に係る投稿再生処理時におけるモニタの様子を示す図
【発明を実施するための形態】
【００２３】
本実施形態のカラオケ装置は、カラオケにおいてデュエットや合唱などを楽しむことのできるカラオケ投稿システムに利用されるものである。図１は、このカラオケ投稿システムの概要を説明するための図である。この図を用いてカラオケ投稿の流れを簡単に説明する。ここでは、歌唱音声の記録を行う場合について説明するが、実際には、カメラにて記録された映像が伴うこととなる。
【００２４】
まず、歌唱者は、カラオケボックスなど、カラオケシステムが設置される場所で演奏にあわせた歌唱が行われ歌唱音声が記録される（ａ）。カラオケシステムは、カラオケ装置（別称「コマンダ」）、カラオケ装置から出力される歌詞映像、背景映像が表示されるモニタ、操作者からの操作をカラオケ装置に伝えるリモコン装置にて構成されている。歌唱音声は、カラオケ装置に内蔵されたハードディスクなどの記録手段に第１投稿情報として記録される。
【００２５】
歌唱者は、記録された歌唱音声を確認するため、第１投稿情報の再生を行うこともできる（ｂ）。歌唱者が希望する場合には、第１投稿情報は、ホスト装置上にアップロードされ、インターネットを介して公開することが可能となる（ｃ）。公開された第１投稿情報は、この歌唱者と一緒に歌唱を希望する歌唱者によりカラオケシステムでダウンロードされる（ｄ）。
【００２６】
ダウンロードされた第１投稿情報は、楽曲にあわせて再生することで内容を確認することもできる（ｅ）。ダウンロードされた第１投稿情報は、楽曲と共にカラオケ装置にて再生され、歌唱者は予め記録された第１投稿情報とのデュエットを楽しむことができる。さらに、第１投稿情報と一緒に歌唱を行った歌唱者の歌唱音声は、第２投稿情報としてカラオケ装置に記録される（ｆ）。記録された第２投稿情報は、第１投稿情報、並びに、楽曲と同期して再生することができ、歌唱者は自身の歌唱をデュエット形式で確認することができる（ｇ）。
【００２７】
歌唱者は、新たな投稿として第２投稿情報をホスト装置にアップロードすることができる。第２投稿情報は、第１投稿情報と併せて再生することができるが、ホスト装置には第１投稿情報が保存されているため、第２投稿情報のみが送信される。第２投稿情報には、第１投稿情報と対応付けるため、第２投稿情報の識別情報が付与される（ｈ）。
【００２８】
サーバ装置に保存された第１投稿情報、第２投稿情報は、ユーザからの要請により、ＰＣ（パーソナルコンピュータ）あるいはカラオケシステムにダウンロードされ、第１投稿情報、第２投稿情報、並びに楽曲情報に基づいて複数の歌唱者によるコラボレーションを楽しむことが可能となる（ｉ）。以上、第１投稿情報と第２投稿情報に基づくコラボレーションについて説明したが、（ｄ）、（ｆ）〜（ｈ）を繰り返し行うことで、複数人（２名以上）のコラボレーションが可能となる。
【００２９】
このように本実施形態のカラオケ投稿システムでは、その場に居合わせない相手ともデュエットや合唱を楽しむことができる。ここでは、歌唱音声についてのみ説明したが、本発明に適用する場合には、歌唱音声と一緒にカメラによる撮影、並びに、映像情報の記録がカラオケ装置にて実行されることとなる。
【００３０】
次ぎに、歌唱の記録とあわせて、カメラ４５による撮影を可能とするカラオケシステムの一実施形態について図２を用いて説明する。図２は、本発明の実施形態に係るカラオケシステムの構成を示す図である。本実施形態におけるカラオケシステムは、カラオケ装置２（コマンダ）と、リモコン装置１を含んで構成されている。なお、図２に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００３１】
カラオケボックスなどの店舗に設置されるカラオケ装置２は、楽曲を演奏するための演奏手段として音響制御部７０を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００３２】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００３３】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００３４】
本実施形態のタッチパネルモニタ３３は、リモコン装置１の操作手段であるタッチパネル１１と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００３５】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００３６】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００３７】
演奏処理は、楽曲データに含まれる演奏データを音響制御部７０にて演奏させる処理である。音響制御部７０にて演奏された楽曲は、歌唱用マイク４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３８】
カラオケ装置２には、歌唱の様子を撮影するための撮像手段としてカメラ４５が接続されている。カメラ４５からのカメラ映像は、映像入出力を担う映像制御部３１を介して、記録手段としてのＨＤＤ３２に記録、そして、モニタ４１にリアルタイム表示することが可能である。さらに、カメラ４５からの映像情報と同時に、複合投稿情報中に含まれる動画情報をモニタ４１に表示させることができる。図１２には、コラボする相手が３人の場合のモニタ４１の表示例が示されている。図１２に示されているように、動画表示領域Ｂ１には、カメラ４５から入力される映像信号がリアルタイムで表示され、動画表示領域Ａ１には、以前に撮像記録された動画情報に基づく映像が表示される。
【００３９】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００４０】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００４１】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００４２】
このようなリモコン装置１の構成により、ユーザからの各種入力（例えば、ホスト装置４へのログイン情報、ＳＮＳのアカウント情報、もしくはメッセージの文字入力など）をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００４３】
図２は、本発明の実施形態に係るトップ画面、すなわち、リモコン装置１を起動した直後の画面を示す図である。本実施形態では、リモコン装置１のタッチパネルモニタ１１に表示を行うことで、リモコン装置１を操作するユーザに対して各種情報が提供される。
【００４４】
本実施形態のカラオケシステムは、各リモコン装置１のタッチパネルモニタ１１から認証情報（後述するユーザ識別情報やパスワード）を入力することで、ログインすることが可能となっている。特に、本実施形態のカラオケシステムでは、複数のユーザをユーザ毎にログインさせることを可能としており、ログインした各ユーザ（ログインユーザ）に関する情報は画面上方に常時表示される。本実施形態においては、ログインした各ユーザに関する情報として、各ユーザの分身像（アバター）を表示するためのログインユーザ欄１０３が設けられている。なお、分身像としては、人、キャラクターを模した像の他、図形や記号など各種形態を採用することができる。
【００４５】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなど認証を行うこととしてもよいが、認証を行うことなく簡易に切り替えることとしてもよい。
【００４６】
図４は、各ユーザ毎に、ホスト装置５に記憶されているユーザ情報を説明するための図である。本実施形態では、ユーザ情報として、個人情報、マイうたテーブル、マイアーティストテーブルといった、ユーザに関する各種情報を含んで構成される。ユーザ情報は、カラオケ用ホストの記憶部に予め記憶されている。また、ユーザ情報には、ユーザがリモコン装置１からホスト装置５へログインしてこれら情報を利用するためのユーザ識別情報、パスワードが対応付けられている。個人情報には、ユーザ名（実際の名前に限ったものでなく、ニックネームであってもよい）、性別、年齢、うた年齢、居住地、趣味などを含んで構成される。これら各種情報は、リモコン装置１、あるいは、インターネットなどのネットワークに接続された図示しないパーソナルコンピュータ、携帯情報端末などにてログインして設定することも可能である。リモコン装置１とカラオケ装置２との対応付け（通称、くくりつけ）が、予め完了されていれば、リモコン装置１の操作部１７から入力された各種情報をカラオケ装置２へ送付し、カラオケ装置２からホスト装置５へログインしてもよい。
【００４７】
特に、本実施形態の個人情報には、歌唱状況をソーシャルネットワークサービス（以下、「ＳＮＳ」と略して表記する）に投稿するため、当該ＳＮＳのアカウント情報が含まれている。このアカウント情報には、ＳＮＳにおけるユーザ識別情報（ＳＮＳ_ＩＤ）と、ログインするためのパスワード（ＳＮＳ_パスワード）を含んで構成されている。この本実施形態のように、個人情報にＳＮＳのアカウント情報を登録している場合、リモコン装置１、又はカラオケ装置２からホスト装置５へのログインすると、ホスト装置５においては、ログインしたユーザのユーザ情報から、ＳＮＳのアカウント情報を抽出する。そして抽出したＳＮＳのアカウント情報と、ログインの認証結果（許可）とが、ログインしたユーザが使用するリモコン装置１やカラオケ装置２へ送付されるため、リモコン装置１、又はカラオケ装置２から、楽曲の予約、演奏とともに、抽出されたアカウント情報に基づいてＳＮＳにもログインしてメッセージを投稿、並びに、返信の受信を行うことが可能となる。ＳＮＳとしては、現在、Ｔｗｉｔｔｅｒ、Ｆａｃｅｂｏｏｋ（両方とも登録商標）など、複数のＳＮＳサービスが提供されている。
【００４８】
本実施形態のカラオケ装置２では、複数のＳＮＳを利用可能としてもよい。その場合、個人情報には、ＳＮＳ毎にアカウント情報が記憶され、登録している全てのＳＮＳ、もしくは、ユーザによって選択されたＳＮＳに対して投稿が実行される。また、ユーザによってはカラオケサービスで使用するユーザ情報中にＳＮＳのアカウント情報（特に、パスワード）を記憶させたくない場合もある。そのような場合には、カラオケシステムにログインする毎に、ＳＮＳでのユーザ識別情報及びパスワード、また、個人情報にＳＮＳのユーザ識別情報が登録されている場合には、ＳＮＳのパスワードの入力を促し、ＳＮＳへログインさせることとしてもよい。
【００４９】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００５０】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００５１】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００５２】
図５は、このユーザ情報の送受信の様子を示した図である。カラオケ店舗に来店したユーザは、自己のユーザ識別情報とパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザの識別情報を読み取った、カラオケ装置２あるいはリモコン装置１は、識別情報をホスト装置５に送信し（Ｓ１０２）、識別情報を受信したホスト装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００５３】
ユーザ情報を受信したカラオケ装置２側では（Ｓ１０３）、受信したユーザ情報に基づいて、選曲処理、演奏処理など各種サービス処理が提供される（Ｓ１０４）。ユーザによりログアウトが要求される（Ｓ１０５）とサービス処理を中断し、サービス処理中における各種履歴（ログ）、あるいは、ユーザによる設定変更を反映したユーザ情報をホスト装置５に送信する（Ｓ１０６）。ここで、ユーザ情報は、全ての情報を送信することの他、更新された差分だけを送信してもよい。ユーザ情報を受信したホスト装置５では（Ｓ１２３）、受信したユーザ情報に基づいて記憶部５１に記憶されたデータベースの更新を実行する（Ｓ１２４）。
【００５４】
以上、１ユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっており、図２で説明したユーザインターフェイスを用いることで、サービスを提供するユーザ（以下、「アクティブユーザ」という）を切り替えて使用することが可能となっている。
【００５５】
図６は、本発明の実施形態に係るアクティブユーザトップ画面を示す図である。この図に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。また、アクティブユーザトップ画面に設けられた「投稿動画」を選択することで、他のユーザによって投稿された歌唱を再生することが可能である。
【００５６】
アクティブユーザが、この「投稿動画」を選択した後、楽曲を検索指定することで、図６に示される楽曲確認画面が表示される。楽曲確認画面には、予約を行う楽曲に間違いがないか、楽曲名、歌手名、投稿者のユーザ名などを表示してユーザに確認させる。その際、楽曲確認画面には、「コラボ録画設定」爛が設けられており、「ＯＮ」を指定した場合には、再生される楽曲に合わせて、歌唱者の歌唱の様子を録音、録画する処理が実行される。一方、「ＯＦＦ」を指定した場合には、歌唱者の歌唱の様子を録音、録画する処理は実行されず、投稿動画の再生のみが実行される。
【００５７】
この楽曲確認画面にて「予約」ボタンが操作されると、リモコン装置１からカラオケ装置２に対してユーザ識別情報、楽曲識別情報、コラボ録画設定などを含む予約情報が送信される。受信したカラオケ装置２では、予約情報を予約テーブルに順次追加して、メイン処理を実行する。
【００５８】
図８には、本発明の実子形態に係るメイン処理を示すフロー図が示されている。カラオケ装置２では、予約リストを随時確認し、次に実行される予約の種類が判別される（Ｓ２０１）。予約リスト上、次の予約種別が「通常予約」である場合は、指定された投稿識別情報に対応する複合投稿情報を再生させる通常楽曲再生（Ｓ２０２）を実行する。ユーザは、複合投稿情報の視聴、あるいは、それに合わせた歌唱（録画なし）を楽しむことが可能である。
【００５９】
一方、予約リスト上、次の予約種別がコラボ予約である場合、Ｓ２０３にて初回投稿（第１投稿）か否かが判定される。初回投稿である場合には、同時に再生する複合投稿情報が存在しないため楽曲再生（Ｓ２０５）、録画（Ｓ２０６）を開始する。一方、事前に投稿された投稿情報が指定されている場合、すなわち、２回目以降の投稿である場合、当該コラボ予約で指定された複合投稿情報がカラオケ装置２にダウンロードされているか否か判断し、ダウンロードされていない場合は、サーバ装置から対象となる投稿情報のダウンロードを実行する（Ｓ２０４）。
【００６０】
図１０には、ダウンロード時の複合投稿情報（１コラボ時）のデータ構成が示されている。本実施形態の投稿情報は、投稿情報を識別するための投稿識別情報（投稿ＩＤ）、録画時に使用した楽曲の楽曲識別情報（楽曲ＩＤ）、複合動画、投稿メッセージ情報、コラボ数、コラボユーザ情報が含まれている。複合動画は、複合録画情報と複合録音情報を含んで構成されている。複合録画情報は、複数回行われた投稿情報中、各回の投稿情報に含まれる録画情報（単位録画情報）を組み合わせて形成された映像情報である。複合録音情報は、複数回行われた投稿情報中、各回の複数回行われた投稿情報中、各回の投稿情報に含まれる録音情報（単位録音情報）を組み合わせて形成された音声情報である。なお、図１０に示す複合投稿情報の例は、初回の投稿であるため、複合動画は、ユーザＡの録画情報（単位録画情報）、録音情報（単位録音情報）のみで構成されている。
【００６１】
本実施形態では、歌唱者の音声を録音した単位録音情報と前回までの録音情報をミキシングすることで複合録音情報を生成している。本実施形態では、サーバ装置にて、複数の単位動画をエンコードすることで１つのファイルの複合動画を生成している。このような形態以外に、複合動画を複数ファイルによる単位動画の集合として形成し、カラオケ装置２にて、複数の単位動画を組み合わせて１画面中に表示する形態としてもよい。
【００６２】
投稿メッセージ情報は、投稿を行ったユーザ（この場合、ユーザＡ）が歌唱中に投稿したメッセージに関する情報であって、本実施形態では、ユーザＩＤ、表示開始タイミング、メッセージ内容を含んで構成されている。ユーザＩＤは、歌唱中にメッセージを投稿したユーザの識別情報であり、表示開始タイミングは、楽曲再生中におけるメッセージの表示開始タイミングを示す情報である。表示開始タイミングには、楽曲再生開始から経過時間を示す分秒の他、ＭＩＤＩクロックなど適宜単位を使用することが可能である。メッセージ内容は、投稿したメッセージを示す情報である。本実施形態では、定型メッセージを使用することを可能としている。定型メッセージが使用された場合には、メッセージ内容に、メッセージＩＤ（メッセージ識別情報）が記録される。定型メッセージ以外のメッセージ（自由メッセージ）を扱うことも可能であり、その場合、メッセージ内容には、テキスト情報で形成されたメッセージが記録される。
【００６３】
コラボユーザ情報は、投稿、並びに、投稿したユーザに関する情報であり、本実施形態では、コラボＮｏ．、ユーザ識別情報（ユーザＩＤ）を含んで構成されている。コラボＮｏ．は、コラボした順番を示す情報である。図１０に示す複合投稿情報は、２回目のコラボに使用するためダウンロードされる複合投稿情報であって、この複合投稿情報には（１回目の）コラボに関する各種情報が登録されている。
【００６４】
複合投稿情報をダウンロードした（Ｓ２０４）後、ダウンロードした複合投稿情報に基づき、複合投稿情報に含まれる楽曲識別情報に対応する楽曲情報を演奏手段に演奏（再生）させる（Ｓ２０５）。この演奏処理と同期して楽曲情報内の歌詞情報をモニタ４１に表示させる歌詞表示処理も実行される。そして、カメラ４５により歌唱の様子を録画開始する（Ｓ２０６）。それと同期して投稿再生処理（Ｓ３００）が実行される。この投稿再生処理では、複合投稿情報に含まれる複合動画を再生させる処理であって、複合動画中の複合録画情報を映像再生部２９に再生させるとともに、複合動画中の複合録音情報を音声制御部２５に再生させる。
【００６５】
図９には、本発明の実施形態に係る投稿再生処理を示すフロー図が示されている。本実施形態では、この投稿再生処理の実行中、歌唱するユーザから、歌唱状況に関するメッセージを受け付ける処理が実行される。歌唱者は、カラオケ装置２のフロントパネルに設置されたタッチパネルモニタ３３、リモコン装置１のタッチパネルモニタ１１等を利用して、歌唱状況に関するメッセージを入力することが可能である。特に、本実施形態では、楽曲の進行に応じて表示される定型メッセージを選択することでメッセージを入力することが可能となっている。以下、メッセージ入力はタッチパネルモニタ３３からとして説明する。
【００６６】
図１１は本発明の実施形態に係る定型メッセージ情報のデータ構成を示す図である。この定型メッセージ情報は、カラオケ装置２のＨＤＤ３２などの記憶手段に複数記憶されている。本実施形態では、キーボートなどの入力手段でメッセージを入力させることなく、タッチパネルモニタ３３に表示されるメッセージを選択（タッチ入力）するという簡単な操作でＳＮＳへの投稿を可能としている。したがって歌唱用マイク４４を手に持って歌唱しているユーザであっても歌唱している状況を簡易に、かつ、リアルタイムで投稿することが可能である。本実施形態のメッセージ情報は、カラオケ装置２で演奏可能な複数の楽曲に共通して使用可能なデータ構成を採用している。本実施形態のメッセージ情報は、メッセージＩＤ（メッセージ識別情報）開始タイミング、終了タイミング、メッセージ内容を含んで構成される。
【００６７】
開始タイミング、終了タイミングは、楽曲の進行に対応付けられたタイミング情報であり、演奏開始からの時間、あるいは、演奏開始からのＭＩＤＩクロック数など演奏の進行を示す各種情報を仕様することが可能である。楽曲の演奏区間（前奏、Ａメロ、Ｂメロ、サビ、後奏）などと対応付けてメッセージを表示させたい場合には、演奏情報の各演奏区間を示す開始タイミング、終了タイミングとすることとなる。この場合、予め演奏情報に現在の演奏区間を示す区間情報を含ませておき、区間情報の出力に応じて現在の演奏区間を判定し、メッセージ情報中の開始タイミング、終了タイミングを判定することで、各演奏区間に応じたメッセージ内容を表示させることが可能である。なお、この開始・終了タイミングを使用しない形態とすることとしてもよい。その場合、１つの楽曲を通じてメッセージ内容を表示することや、１つの楽曲の適宜期間毎にランダムにメッセージ内容を表示させること等が考えられる。
【００６８】
メッセージ内容は、メッセージの文章、絵文字、画像情報などで構成されている。図には各種メッセージ内容の例が示されている。この例においてカギ括弧『』で示される欄内には、現在演奏中の楽曲や歌唱状況に関連する情報が入力されて表示される。例えば、「楽曲名」の欄内には現在、演奏中の楽曲名が表示され、「アーティスト名」の欄内には現在、演奏中の楽曲に対応するアーティスト名（歌手名）が表示される。また、「採点情報」の欄内には、カラオケ装置２の採点機能にて採点された採点情報が入力されて表示される。本実施形態では、このように定型のメッセージ内容中、現在演奏中の楽曲に関連する情報を入力して表示することとしている。このように楽曲や歌唱状況に関連する情報としては、楽曲名、歌手名、採点情報の他、歌唱している場所や店名、同時にログインしているユーザ名、その日に歌唱した楽曲数などを使用することが考えられる。なお、楽曲や歌唱状況に関連する情報は、メッセージ内容に含めずに、送信するメッセージ内容に付帯させ、受信した側で閲覧できるように構成してもよい。
【００６９】
本実施形態では、このようにメッセージ情報を複数の楽曲で使用可能な汎用性のある形態としているが、メッセージ情報は、各楽曲毎に設けることとしてもよい。その場合、メッセージ情報には楽曲識別情報が付与され、演奏処理では楽曲に対応するメッセージ情報が使用される。このような形態では、メッセージの表示、終了タイミングや、メッセージ内容を各楽曲毎に適したものとすることが可能となる。
【００７０】
図９の演奏処理に戻り、制御部３０は、演奏している楽曲について、ＨＤＤ３２に記憶されている表示すべき定型メッセージ情報中の開始タイミングを監視し（Ｓ３０１）、開始タイミングに基づいて表示すべき定型メッセージの有無を判定する（Ｓ３０２）。表示すべき定型メッセージ情報が有りと判定された場合（Ｓ３０２：Ｙｅｓ）には、当該定型メッセージ情報中のメッセージ内容に基づき、表示手段に定型メッセージを表示させる（Ｓ３０３）。本実施形態では、メッセージの表示手段としてタッチパネルモニタ３３を採用しているが、この表示手段には、このタッチパネルモニタ３３の他、カラオケ装置２に接続されたモニタ４１、リモコン装置１のタッチパネルモニタ１１等を使用することも可能である。
【００７１】
図１２には本発明の実施形態に係る演奏処理時におけるカラオケ装置２、モニタの様子が示されている。モニタ４１には、動画表示領域Ａ１、Ｂ１が設けられており、動画表示領域Ａ１には、複合投稿情報中の複合動画情報（Ａさんの歌唱の様子）が再生表示される。一方、動画表示領域Ｂ１には、カメラ４５で撮影中の映像（Ｂさんの歌唱中の様子）がリアルタイム表示される。その際、動画表示領域Ｂ１には撮像された映像を左右判定させた状態で表示させることが好ましい。歌唱するユーザは鏡に映っているのと同じ状態で自己の姿を視認し、違和感のない映像を確認することが可能となる。さらに、本実施形態では、各動画表示領域Ａ１、Ｂ１に対応する位置（各動画表示領域Ａ１、Ｂ１の下方）、メッセージ表示領域Ｍ１、Ｍ２が設けられている。メッセージ表示領域Ｍ１には、複合投稿情報中、ＡさんのユーザＩＤが対応付けられている投稿メッセージ情報に基づいてメッセージが表示される。
【００７２】
図１０で説明したように、投稿メッセージ情報は、ユーザＩＤ、表示開始タイミング、メッセージ内容で構成されておおり、楽曲の演奏進行上、表示開始タイミングにて、メッセージ内容に対応するメッセージが表示される。定型メッセージを使用した場合には、メッセージ内容に記録されたメッセージＩＤに対応するメッセージが表示される。本実施形態では、表示開始タイミングが到来すると、メッセージ表示領域Ｍ１の右側から左側へと向かって、メッセージ内容に対応するメッセージをスクロール表示させる表示形態を採用している。表示形態には、このようなスクロール表示の他、固定位置にて所定時間メッセージを表示させる等、各種表示形態を採用することが可能である。
【００７３】
また、カラオケ装置２のフロントパネルに設置されたタッチパネルモニタ３３には、メッセージ表示枠Ｅ１、Ｅ２内に定型メッセージ情報中のメッセージ内容で構成された定型メッセージが表示される。本実施形態では、同時に複数の定型メッセージを表示させており、ユーザは複数の候補の中から所望の定型メッセージを選択入力することが可能となっている。タッチパネルモニタ３３内で説明するように、このメッセージ表示枠Ｅ１、Ｅ２を選択（タッチ）すること（Ｓ３０５：Ｙｅｓ）で、メッセージ表示枠Ｅ１、Ｅ２内に表示されているメッセージが、これから投稿する情報（単位投稿情報）に記憶される。投稿されたメッセージは、タッチパネルモニタ３３から消去される（Ｓ３０７）。このような投稿再生処理を実行することで、歌唱を投稿するユーザは、コラボする相手、もしくは、投稿により形成された複合投稿情報を視聴するユーザに対し、言葉による各種メッセージを伝えることが可能となり、従来のコラボサービス以上に、ユーザ間のコミュニケーションを図ることが可能となる。
【００７４】
以上説明した、歌唱者の録画は、楽曲の再生が終了する（Ｓ３０８：Ｙｅｓ）まで継続され、楽曲の再生終了後、単位動画情報（単位録画情報、単位音声情報）が生成される（Ｓ２０７）。ユーザは、この単位動画情報を確認するためプレビュー処理を選択することが可能である（Ｓ２０９）。プレビュー処理（Ｓ２０９）は、楽曲情報の再生に同期して、単位録画情報を再生させる処理である。図１３には、プレビュー処理時のモニタ４１の様子が示されている。モニタ４１には、投稿再生処理時と同様、Ａさんに関する動画表示領域Ａ１とメッセージ表示領域Ｍ１が表示され、今回、歌唱を行ったＢさんに関する動画表示領域Ａ２とメッセージ表示領域Ｍ２が表示される。なお、録画時、動画表示領域Ｂ１には、左右判定させた状態で映像を表示させていたが、再生時、動画表示領域Ｂ１は、左右反転させない状態で表示させている。
【００７５】
ユーザは、生成した単位動画情報を含む単位投稿情報をホスト装置にアップロードすることが可能である。単位投稿情報をアップロードすることが選択された場合（Ｓ２１０：Ｙｅｓ）、カラオケ装置２は、生成された単位録画含む単位投稿情報を、通信手段としてのＬＡＮ通信部２４を介し、単位投稿情報をサーバ装置に送信するアップロード処理（Ｓ２１１）を実行する。
【００７６】
図１４には、アップロード対象となる単位投稿情報のデータ構成が示されている。この単位投稿情報には、投稿を行う際に使用した複合投稿情報に付されていた投稿識別情報（投稿ＩＤ）、使用した楽曲の楽曲識別情報（楽曲ＩＤ）、投稿メッセージ情報、単位動画情報、楽曲を指定したユーザに関連するユーザ情報が含まれている。投稿メッセージ情報には、メッセージを入力したユーザＩＤ、楽曲進行上のメッセージ入力タイミングである表示開始タイミング、メッセージ内容が含まれる。メッセージ内容には、定型メッセージ情報のメッセージＩＤの他、テキスト情報で構成された自由メッセージを使用することが可能である。ユーザ情報には、何回目にコラボを行ったかを示すコラボＮＯ．と、コラボを行ったユーザのユーザ識別情報が含まれている。
【００７７】
このように本実施形態では、タッチパネルモニタ３３に表示される定型メッセージをタッチ入力するという簡単な操作で、歌唱状況に関するメッセージを投稿することが可能となっている。メッセージの表示対象としてモニタ４１やリモコン装置１のタッチパネルモニタ１１を使用した場合には、操作部２１、１７を操作することでメッセージが選択され、投稿する情報（単位投稿情報）にメッセージが記録される。投稿メッセージ情報は、ホスト装置にアップロードされた後、多くのユーザに公開されることとなる。このような場合、カラオケ業者側では、他人への誹謗中傷や公序良俗に反する言葉を含んだ不適切なメッセージが投稿されていないかを確認（検閲）する必要がある。本実施形態のように定型メッセージを使用した場合、カラオケ業者側にて用意した定型メッセージが使用されるため、公開時におけるメッセージ検閲の手間を削減することが可能となる。ユーザが自由な文章を投稿できる自由メッセージを採用した場合においても、定型メッセージを除き、自由メッセージのみを検閲するだけでよく、カラオケ業者側の手間は十分に削減することが可能となる。
【００７８】
図１５には、図１２の形態（２コラボ時）で投稿を行った際の投稿処理が示されている。この投稿処理は、カラオケ装置２とホスト装置の間で行われる一連の処理である。ホスト装置側では、予め、単位投稿情報Ｂ（添字は、投稿したユーザ名に付された記号を示す）を使用して複合投稿情報を作成し、記憶部５１に記憶している。カラオケ装置２側で複合投稿情報が指定（Ｓ４０１）され、投稿識別情報（投稿ＩＤ）がホスト装置側に送信される（Ｓ４０２）と、ホスト装置は、投稿識別情報に対応する複合投稿情報を記憶部５１から取得して（Ｓ４５１）、要求のあったカラオケ装置２に送信する（Ｓ４５２）。カラオケ装置２では、受信（Ｓ４０３）した複合投稿情報に基づき、図８のメイン処理などで説明した行程を経て、図１４に示す単位投稿情報Ａを作成し、ホスト装置に送信する（Ｓ４０４）。単位投稿情報Ａを受信（Ｓ４５３）したホスト装置は、受信した単位投稿情報Ａ、並びに、投稿に利用した複合投稿情報の作成の基となった単位投稿情報Ｂを使用して、新たな複合投稿情報（新規複合投稿情報）を作成する（Ｓ４５４）。新たに作成された新規投稿情報は、次の投稿処理に使用される。
【００７９】
このように本実施形態では、ホスト装置側で、複数の単位動画を組み合わせてエンコードすることで、複合動画を形成しているが、カラオケ装置２に提供する複合動画は、複数の単位動画情報（複数ファイル）のままとしてもよい。このような形態では、カラオケ装置２側で、複数の単位動画を組み合わせ、複合動画として再生することが可能となる。
【００８０】
図１２、図１３で説明した実施形態において、動画表示領域Ａ１、Ｂ１と表示されるメッセージの対応関係は、動画表示領域Ａ１、Ｂ１に対応する位置にメッセージ表示領域Ｍ１、Ｍ２を設けることとしている。動画表示領域Ａ１、Ｂ１と表示されるメッセージの対応関係の形態は、このような形態に限られるものではなく各種形態を採用することが可能である。
【００８１】
図１７には、本発明の他の実施形態に係るプレビュー処理時におけるモニタ４１の様子が示されている。本実施形態では、共通のメッセージ表示領域Ｍを設け、メッセージを表示することとしている。その際、表示されるメッセージには、動画表示領域Ａ１、Ｂ１の右上に表示されているユーザ名を添付することで、どのユーザのメッセージであるかを判別可能としている。この他、動画表示領域Ａ１、Ｂ１の外枠を固有の色で表示し、対応するメッセージの表示色を外枠と同色とする等、動画表示領域Ａ１、Ｂ１と表示されるメッセージの対応関係を認識できるようにしてもよい。
【００８２】
図１８には、本発明の他の実施形態に係るプレビュー処理時におけるモニタ４１の様子が示されている。本実施形態は、図１７と同様、共通のメッセージ表示領域Ｍ中に、複数のユーザのメッセージを表示させた場合であって、本実施形態では、コラボ数が６ユーザとなっている点で異なる。このようにコラボ数が増えた場合においても、共通のメッセージ表示領域Ｍを使用することで、各動画表示領域Ａ１〜Ｆ１までを広く取ることができ、かつ、動画表示領域Ａ１〜Ｆ１と表示されるメッセージの対応関係を認識させることが可能となる。
【００８３】
以上、説明した実施形態では、歌唱中に入力したメッセージを単位投稿情報に含めて投稿することとしているが、歌唱中に入力したメッセージは、ソーシャルネットワークサービス（ＳＮＳ）に投稿することとしてもよい。図１９は、本発明の他の実施形態におけるＳＮＳへの投稿送信を説明するための図である。カラオケ装置２は、ネットワーク網（インターネット）を介して、ホスト装置５、あるいは、各種ユーザ端末７ａ〜７ｃと通信することが可能である。図中、ホスト装置５は、ルータ６を介してネットワーク網と接続されており、携帯電話やスマートフォン等のユーザ端末７ｃは、無線基地局８を介してネットワーク網と無線接続されている。
【００８４】
このようなネットワーク環境下において、カラオケ装置２に入力されたメッセージは、ＳＮＳを使用してユーザ端末７ａ〜７ｃを使用するユーザに送信することが可能である。ＳＮＳではユーザを特定するためログインする必要がある。本実施形態では、図４の個人情報中にＳＮＳのアカウント情報（ＳＮＳ_ＩＤとＳＮＳ_パスワード）を記憶しておくことで、カラオケシステムにログインした際、ＳＮＳにもログインすることとしている。演奏処理にて演奏される楽曲は、予約情報に含まれるユーザ識別情報にて歌唱するユーザを特定することが可能である。したがって、各楽曲毎の演奏処理では、歌唱するユーザに対応付けられたＳＮＳ並びにアカウントが投稿対象として特定される。なお、ユーザ情報を有していないゲストユーザの場合には、演奏処理毎にＳＮＳにログインして投稿を行うようこととしてもよい。
【００８５】
図９で説明した投稿再生処理中、定型メッセージを記憶する処理（Ｓ３０６）と並行して、ログインしているＳＮＳに定型メッセージが投稿され、ユーザ端末７ａ〜７ｃを使用しているユーザにメッセージが伝達される。定型メッセージのみならず、自由メッセージの場合も同様である。また、ＳＮＳでは、投稿されたメッセージに対して返信することが可能であり、返信メッセージをモニタ４１に併せて表示することとしてもよい。図２０には、本発明の実施形態に係る投稿再生処理時におけるモニタ４１の様子が示されている。
【００８６】
図２０の表示例では、動画表示領域Ａ１、Ｂ１内に、当該ユーザに対応するメッセージを表示している。現在歌唱しているユーザの動画表示領域Ｂ１には、左寄りに表示されるユーザ自身の入力メッセージ以外に、当該入力メッセージに対して返信された返信メッセージＤが右寄りに表示されている。返信メッセージには、返信したユーザのＳＮＳでのユーザ名が併せて表記されている。このように、歌唱中に入力されたメッセージをＳＮＳに投稿することで、コミュニケーションの範囲を拡大することが可能となる。入力メッセージ、返信メッセージＤ共に、入力タイミングで表示開始され、下から上（上から下でも可能）へとスクロール表示される。このように入力メッセージと返信メッセージを表示することで、歌唱期間中、歌唱しているユーザと外部ユーザ（ＳＮＳを使用しているユーザ）間で、メッセージによるコミュニケーションを取ることが可能となる。
【００８７】
ＳＮＳからの返信メッセージは、ホスト装置への送信対象となる単位投稿情報に含めてもよいし、単位投稿情報に含めなくてもよい。単位投稿情報に含めた場合には、返信メッセージＤを複合投稿情報に含め、複合投稿情報を再生する際、ユーザとＳＮＳを使用しているユーザ間でのメッセージによるコミュニケーションを再現してもよい。
【符号の説明】
【００８８】
１ａ、１ｂ…リモコン装置          ２７…メモリ
１１…タッチパネルモニタ          ２８…ビデオＲＡＭ
１１ａ…表示部                    ２９…映像再生部
１１ｂ…タッチパネル              ３０…ＣＰＵ
１２…ビデオＲＡＭ                ３１…映像制御部
１３…映像制御部                  ３２…ＨＤＤ（ハードディスク）
１４…メモリ                      ４１…モニタ
１５…ＣＰＵ                      ４２…スピーカ
１６…無線ＬＡＮ通信部            ４４ａ、４４ｂ…歌唱用マイク（マイクロホン）
１７…操作部                      ４５…カメラ
１８…操作処理部                  ５…（カラオケ）ホスト装置
１９…赤外線通信部                ５１…記憶装置
２…カラオケ装置（コマンダ）      ６…ルータ
２１…操作部                      ７…ユーザ端末
２２…操作処理部                  ８…無線基地局
２３…赤外線通信部                １００…ＬＡＮ
２４…ＬＡＮ通信部                １１０…アクセスポイント
２５…音響制御部                  １２０…ルータ
【図１】
2015161848.tif 000003
【図２】
2015161848.tif 000004
【図３】
2015161848.tif 000005
【図４】
2015161848.tif 000006
【図５】
2015161848.tif 000007
【図６】
2015161848.tif 000008
【図７】
2015161848.tif 000009
【図８】
2015161848.tif 000010
【図９】
2015161848.tif 000011
【図１０】
2015161848.tif 000012
【図１１】
2015161848.tif 000013
【図１２】
2015161848.tif 000014
【図１３】
2015161848.tif 000015
【図１４】
2015161848.tif 000016
【図１５】
2015161848.tif 000017
【図１６】
2015161848.tif 000018
【図１７】
2015161848.tif 000019
【図１８】
2015161848.tif 000020
【図１９】
2015161848.tif 000021
【図２０】
2015161848.tif 000022